(57)【要約】【課題】  作業性を向上させながら、安全性を向上できるき電ひらき工具を提供する。【解決手段】  き電線ひらき工具は、スライド機構１１と、挿入機構１４と、保持機構１７とを備える。スライド機構１１は、工具本体１２とスライド部１３とから構成される。挿入機構（挿入部）１４は、挿入部第１半体１５と挿入部第２半体１６とから構成される。挿入部第１半体１５と挿入部第２半体１６とが当接することにより、挿入部１４が形成される。保持機構１７は、第１張力受部１８と第２張力受部１９とから構成される。【選択図】図１
0003211645.tif 000002
【実用新案登録請求の範囲】
【請求項１】
２条に束合されたき電線を開くき電線ひらき工具であって、
一のき電線と隣接するき電線の間に挿入される挿入機構と、
前記挿入箇所において、一のき電線を保持しつつ、隣接するき電線をスライドさせて、一のき電線と隣接するき電線との間を開くスライド機構と、
一のき電線と隣接するき電線との間が開いた状態を保持する保持機構と
を備えることを特徴とするき電線ひらき工具。
【請求項２】
２条に束合されたき電線を開くき電線ひらき工具であって、
棒状の工具本体と、
前記工具本体上をスライド可能に設けられたスライド部と、
前記工具本体に設けられた挿入部第１半体と、
前記スライド部に設けられた挿入部第２半体と、
前記工具本体に設けられた第１張力受部と、
前記スライド部に設けられた第２張力受部と、
を備え、
前記挿入部第１半体と前記挿入部第２半体とが当接することにより、挿入部が形成される
ことを特徴とするき電線ひらき工具。
【請求項３】
前記挿入部第１半体および前記挿入部第２半体には、き電線嵌合部が設けられている
ことを特徴とする請求項２記載のき電線ひらき工具。
【考案の詳細な説明】
【技術分野】
【０００１】
本考案はき電線ひらき工具に関し、特に、き電線分岐作業等においてに使用するき電線ひらき工具に関するものである。
【背景技術】
【０００２】
電車線設備のき電線は２条を束ね合わせ、1本としていることが多い。ところで、き電線を分岐する際は、既設のき電線に分岐線を圧縮機により圧縮する（特許文献１参照）。しかしながら、２条を束ね合わせたままでは、圧縮機を挿入設置できない。そのため、２条を束ね合わせたき電線を開き、圧縮機を設置するスペースを確保する必要がある。
【０００３】
従来、き電線分岐をする際のき電線をひらく作業において、特別な工具など決められておらず、作業員が各々工夫していた。
【先行技術文献】
【特許文献】
【０００４】
【特許文献１】特開2001-130289号公報
【考案の概要】
【考案が解決しようとする課題】
【０００５】
上述のとおり、き電線分岐をする際のき電線をひらく作業において、特別な工具など決められておらず、作業員が各々工夫していた（一例について図４に関する記載にて後述）。ところで、作業手順の大略は定められており、安全性については充分に検討されている。
【０００６】
しかしながら、き電線分岐作業は高所作業であり重大事故の一因ともなり得るので、安全性についてより一層検討することが好ましい。
【０００７】
また、き電線分岐作業は高所作業であり、作業上の制約も多い。作業性についてより一層検討することが好ましい。
【０００８】
なお、一般的な傾向として、安全性を重視すると作業性が低下することがある。
【０００９】
したがって、作業性を向上させながら、安全性を向上させることが重要となる。
【００１０】
本考案は上記課題を解決するものであり、作業性を向上させながら、安全性を向上できるき電線ひらき工具を提供することを目的とする。
【課題を解決するための手段】
【００１１】
上記課題を解決する本考案は２条に束合されたき電線を開くき電線ひらき工具である。き電線ひらき工具は、一のき電線と隣接するき電線の間に挿入される挿入機構と、前記挿入箇所において、一のき電線を保持しつつ、隣接するき電線をスライドさせて、一のき電線と隣接するき電線との間を開くスライド機構と、一のき電線と隣接するき電線との間が開いた状態を保持する保持機構とを備える。
【００１２】
上記課題を解決する本考案は２条に束合されたき電線を開くき電線ひらき工具である。き電線ひらき工具は、棒状の工具本体と、前記工具本体上をスライド可能に設けられたスライド部と、前記工具本体に設けられた挿入部第１半体と、前記スライド部に設けられた挿入部第２半体と、前記工具本体に設けられた第１張力受部と、前記スライド部に設けられた第２張力受部と、を備え、前記挿入部第１半体と前記挿入部第２半体とが当接することにより、挿入部が形成される。
【００１３】
これにより、張線器を利用することができ、その結果、作業性を向上させながら、安全性を向上できる。
【００１４】
好ましくは、前記挿入部第１半体および前記挿入部第２半体には、き電線嵌合部が設けられている。
【００１５】
これにより、さらに安全性が向上する。
【考案の効果】
【００１６】
本考案のき電線ひらき工具は、作業性を向上させながら、安全性を向上できる。
【図面の簡単な説明】
【００１７】
【図１】き電線ひらき工具の概略構成図
【図２】分岐作業説明図
【図３】分岐作業完了図
【図４】従来技術
【考案を実施するための形態】
【００１８】
〜構成〜
き電線ひらき工具１０は、き電線を分岐する際、２条に束合されたき電線をひらく作業において用いられる。
【００１９】
図１は、き電線ひらき工具の概略構成図である。図１Ａは挿入部閉状態を示し、図１Ｂは挿入部開状態を示す。
【００２０】
き電線ひらき工具１０は、スライド機構１１と、挿入機構１４と、保持機構１７とを備える。
【００２１】
スライド機構１１は、一のき電線を保持しつつ、隣接するき電線をスライドさせて、一のき電線と隣接するき電線との間を開く。
【００２２】
スライド機構１１は、工具本体１２とスライド部１３とから構成される。
【００２３】
工具本体１２は棒状である。断面は図示のように正方形でもよいし、円形でもよい。
【００２４】
スライド部１３は工具本体１２の長軸方向にスライド可能に工具本体１２上に設けられる。一方、、スライド部１３は工具本体１２断面を囲み、長軸直角方向に拘束される。
【００２５】
挿入機構１４は、一のき電線と隣接するき電線の間に挿入される。
【００２６】
挿入機構（挿入部）１４は、挿入部第１半体１５と挿入部第２半体１６とから構成される。
【００２７】
挿入部第１半体１５は工具本体１１に設けられる。挿入部第２半体１６はスライド部１３に設けられる。
【００２８】
挿入部第１半体１５と挿入部第２半体１６とが当接することにより、テーパー状の挿入部１４が形成される（図１Ａ参照）。
【００２９】
一方、スライド機構１１によるスライドに伴い、挿入部第１半体１５と挿入部第２半体１６とが分離する（図１Ｂ参照）。
【００３０】
挿入部第１半体１５および挿入部第２半体１６の当節面と反対側には、それぞれ、き電線嵌合部２１，２２が設けられている。
【００３１】
保持機構１７は、一のき電線と隣接するき電線との間が開いた状態を保持する。
【００３２】
保持機構１７は、第１張力受部１８と第２張力受部１９とから構成される。
【００３３】
第１張力受部１８は工具本体１２に設けられる。第２張力受部１９はスライド部１３に設けられる。
【００３４】
第１張力受部１８と第２張力受部１９との間には張線器３０（図２参照）が介装される。張線器３０は、ワイヤーの両端にフックを有する。
【００３５】
第１張力受部１８および第２張力受部１９にはそれぞれ係合孔が設けられており、張線器３０のフックを係合可能である。
【００３６】
張線器３０のレバー操作によりワイヤー長さを調整すると、ワイヤーに張力が作用する。
【００３７】
張力は第１張力受部１８および第２張力受部１９に伝達され、スライド機構１１が作動する。レバー操作を停止すると、スライド状態が保持される。
【００３８】
〜動作〜
図２は、き電線を分岐する作業に係る動作について説明する図である。
【００３９】
支柱には腕金またはビームが支持される。腕金等の支持物にはがいしを介してき電線が吊支持される。き電線は２条を束ね合わせ、１本としていることが多い。
【００４０】
張線器３０をき電線ひらき工具１０に取り付ける。
【００４１】
挿入部１４を一のき電線と隣接するき電線の間に挿入する。挿入部１４はテーパー状であり容易に挿入可能である。
【００４２】
レバーを操作し張線器３０を絞め、スライド機構１１を作動させ、一のき電線と隣接するき電線との間を開く。所定間隔を確保したら、レバー操作を停止し、所定間隔を保持する。
【００４３】
これにより形成されたスペースに圧縮機を設置し、既設のき電線に分岐線を圧縮する。
【００４４】
圧縮後、圧縮機を取り外す。
【００４５】
張線器３０を緩めると、開き間隔は狭くなり、２条のき電線は隣接状態に戻る。
【００４６】
き電線ひらき工具１０を取り外す。これにより作業完了となる（図３参照）。
【００４７】
〜効果〜
従来技術と比較することにより、本実施形態の効果について説明する。
【００４８】
従来、き電線分岐をする際のき電線をひらく作業において、特別な工具など決められておらず、作業員が各々工夫していた。
【００４９】
図４は、従来技術の一例を示す概略構成および作業説明図である。
【００５０】
従来技術のき電線ひらき工具１００は、両端に窪みを有する木製板である。
【００５１】
人力により木製板を一のき電線と隣接するき電線の間をこじ開けて挿入する。き電線は窪みに係合される。
【００５２】
これにより形成されたスペースに圧縮機を設置し、既設のき電線に分岐線を圧縮する。
【００５３】
圧縮後、圧縮機を取り外し、木製板を取り外す。２条のき電線は隣接状態に戻る。これにより作業完了となる。
【００５４】
従来技術においても安全性について検討されているが、以下の懸念がある。
【００５５】
人力による取り付けおよび取り外しのため、安全および安全性に更なる検討が必要である。
【００５６】
木製であるため、強度に不安が残る。
【００５７】
保持状態が不安定で、木製板が外れるおそれもある。この点でも安全性に更なる検討が必要である。
【００５８】
き電線開き幅は木製板幅に相当し、調整できない。この点でも作業性に更なる検討が必要である。
【００５９】
これに対し、本実施形態では、張線器３０を利用するため、小さな力でき電線を開くことができる。その結果、作業性が向上するとともに、安全性が向上する。
【００６０】
また、アルミ鋼材等を採用でき、軽量性を維持しつつ、強度を強化できる。
【００６１】
さらに、保持状態が安定することにより、この点でも安全性が向上する。
【００６２】
張線器３０により開き幅を調整でき、この点でも作業性が向上する。
【００６３】
以上のように、本実施形態は、作業性を向上させながら、安全性を向上できる。
【符号の説明】
【００６４】
１０  き電線ひらき工具
１１  スライド機構
１２  工具本体
１３  スライド部
１４  挿入機構（挿入部）
１５  挿入部第１半体  １６  挿入部第２半体
１７  保持機構
１８  第１張力受部
１９  第２張力受部
２１，２２  き電線嵌合部
３０  張線器
１００  き電線ひらき工具（従来技術）
【図１】
0003211645.tif 000003
【図２】
0003211645.tif 000004
【図３】
0003211645.tif 000005
【図４】
0003211645.tif 000006
【手続補正書】
【提出日】平成29年5月31日(2017.5.31)
【手続補正１】
【補正対象書類名】実用新案登録請求の範囲
【補正対象項目名】全文
【補正方法】変更
【補正の内容】
【実用新案登録請求の範囲】
【請求項１】
２条に束合されたき電線を開くき電線ひらき工具であって、
一のき電線と隣接するき電線の間に挿入される挿入機構と、
前記挿入箇所において、一のき電線を保持しつつ、隣接するき電線をスライドさせて、一のき電線と隣接するき電線との間を開くスライド機構と、
張線器が介装されることにより、一のき電線と隣接するき電線との間が開いた状態を保持する保持機構と
を備え、
前記挿入機構と前記スライド機構と前記保持機構とは、棒状本体に設けられる
ことを特徴とするき電線ひらき工具。
【請求項２】
２条に束合されたき電線を開くき電線ひらき工具であって、
棒状の工具本体と、
前記工具本体上をスライド可能に設けられたスライド部と、
前記工具本体に設けられた挿入部第１半体と、
前記スライド部に設けられた挿入部第２半体と、
前記工具本体に設けられた第１張力受部と、
前記スライド部に設けられた第２張力受部と、
を備え、
前記挿入部第１半体と前記挿入部第２半体とが当接することにより、挿入部が形成される
ことを特徴とする請求項１記載のき電線ひらき工具。
【請求項３】
前記挿入部第１半体および前記挿入部第２半体には、き電線嵌合部が設けられている
ことを特徴とする請求項２記載のき電線ひらき工具。